(57)【要約】【課題】  デジタルビデオカメラに接続されたＡＶＨＤＤの様な外部記録機器の制御を、デジタルビデオカメラ本体のテープの有無に関わらず可能にする。【解決手段】  デジタルビデオカメラの記録ボタンに同期してステータスコマンドを発行し、そのレスポンスに応じて、記録開始もしくは記録停止を外部機器に対して発行する。【選択図】  図１
2007081963.tif 000002
【特許請求の範囲】
【請求項１】
映像を撮影するカメラ手段と、撮影された映像を記録する記録手段を具備したカメラ一体型の映像撮影記録装置であって、該記録手段に対する撮影記録を開始及び停止するトリガ動作に同期して、外部記録装置に対して外部記録のステータスを要求する制御コマンドを発行し、取得した外部記録装置のステータスに応じて該接続された外部記録装置に対して記録開始、もしくは記録停止の制御コマンドを発行する手段を設けた事を特徴とする映像撮影記録装置。
【請求項２】
請求項1記載の映像撮影記録装置において、外部記録装置に対するステータスのレスポンスによって外部記録装置が記録中であると判断された場合には外部記録装置に対して記録停止の制御コマンドを発行し、外部記録装置が記録中でないと判断された場合には外部記録装置に対して記録開始の制御コマンドを発行する手段を設けた事を特徴とする映像撮影記録装置。
【請求項３】
請求項1記載の映像撮影記録装置において、外部記録装置に送信される制御コマンドおよびステータスコマンドは、"IEC61883-PART1:General"に記載されるFunction Control Protocolに準じて送信されるものであり、コマンドのフォーマットはVCR Subunit specificationによって規定されることを特徴とする映像撮影記録装置。
【発明の詳細な説明】
【技術分野】
【０００１】
本発明はIEEE1394等のデジタルインターフェースを通して画像データや制御データの入出力を行なう装置であり、特にカメラ一体型の映像撮影記録装置に関する。
【背景技術】
【０００２】
従来、カメラ一体型VCR（以降単にVCR）で撮影記録を行なう際に、補助記録手段としてIEEE1394等のインターフェースで接続された外部記録装置にも撮影映像を記録する事があった。従来の一例を図3に示す。
【０００３】
VCR(301)はカメラ部(302)で撮影された映像をレコーダー部(303)でテープに記録する。またVCR(301)にはIEEE1394に準拠したDV端子(304)があり、ここに外部記録装置(305)が接続されている。外部記録装置は例えば同じDV端子を備えた別のVCRや、AVHDDと呼ばれるAV専用のハードディスク記録装置であり、本装置および外部記録装置は1394を通してDVフォーマットの画像データのやり取りを行なう。カメラ部(302)で撮影された映像データはレコーダー部(303)に送られると共に、DV端子(304)から外部装置へ出力される。外部記録装置はバックアップの目的もあるが、特にノンリニア編集を行なうユーザーは、VCR本体でのオリジナル画像保存用のテープ記録と同時に、編集時の操作性を考慮して、１次保存としてハードディスク記録媒体であるAVHDDに同時記録する場合がある。
【０００４】
従来は、VCR(301)の撮影トリガボタン(306)を押して撮影記録を開始するトリガに同期して外部記録装置に記録開始制御コマンドを発行し、また撮影中にVCR(301)の撮影トリガボタン(306)を押して撮影記録を一時停止するトリガに同期して、外部記録装置に記録停止制御コマンドを発行しており、このようにしてVCR(301)本体でのテープ記録と同じ映像を外部記録装置で別媒体に同時記録していた。
【０００５】
又、従来例としては、例えば特許文献１と特許文献２と特許文献３をあげることが出来る。
【特許文献１】特開２００３−２５０１２０号公報
【特許文献２】特開平１０−２２４６９６号公報
【特許文献３】特開２００１−２５７１７３号公報
【発明の開示】
【発明が解決しようとする課題】
【０００６】
しかしながら従来は、テープに対する記録開始および記録停止のトリガに同期して、外部記録装置に記録開始および停止制御コマンドを送信していたため、テープがVCR(301)に挿入されていない場合には外部記録装置に記録開始および停止制御コマンドが送信されないため外部記録装置に記録をする場合には、外部記録装置の記録ボタン(307)を押して1394を通して送られてくる映像データを記録しなければならなかった。
【課題を解決するための手段】
【０００７】
上記欠点を克服するため本発明は、カメラ一体型の映像撮影記録装置であって、テープメディアが映像撮影記録装置に挿入されていない場合に撮影トリガボタンが押された場合には、外部記録装置に対して外部記録装置のステータスを取得する制御コマンドを発行し、そのステータスから外部記録装置が記録中であった場合には、記録停止の制御コマンドを発行し、記録中でなければ記録開始の制御コマンドを発行する手段を設ける。
【発明の効果】
【０００８】
以上説明した様に本発明によれば、映像を撮影するカメラ手段と、撮影された映像を記録する記録手段を具備したカメラ一体型の映像撮影記録装置において、該記録手段に対する撮影記録を開始および停止を要求するトリガ動作に同期して、外部記録装置に対してステータスコマンドを発行して、そのレスポンスから外部記録装置が記録中であるか否かを判別して、記録開始制御コマンドもしくは記録停止制御コマンドを外部記録装置に送信することにより、テープがない状態でも映像撮影記録装置のトリガボタンに同期して外部記録装置の制御を行なうことが可能となり、ユーザーの作業効率を改善できる。
【発明を実施するための最良の形態】
【０００９】
本案を実施した装置の一例であるVCRの構成ブロックを図1に示す。VCR(101)には従来例と同様にカメラ部(102)、レコーダー部(103)、DV端子(104)、撮影トリガボタン(106)があり、DV端子(104)に繋がれた1394ケーブルを通してAV用のハードディスク装置であるAVHDD(105)に接続されている。AVHDD(105)には記録/記録停止ボタン(107)がある。VCR(101)にはさらにコマンド発生部(108)があり、レコーダー部(103)からレコーダーの動作状態データ（記録、記録停止等）が入力されており、トリガボタン(106)からトリガ操作状態データが入力されている。コマンド発生部(108)はこれらレコーダー部(103)の動作状態と撮影トリガボタン(106)の操作に応じてAVHDD(105)の記録/記録停止を制御するAV/CコマンドをDV端子(104)から送出する。ここでAV/Cコマンドは、"IEC61883-PART1:General"において規定されるFunction Control Protocolによって扱われるものであり、具体的なAV/Cコマンドは、1394TAにて規定されるVCR Subunit specificationに準拠したものであっても良いし、それ以外のコードを新たに定義しても良い。
【００１０】
図2に本発明の制御フローを示す。この制御フローは、コマンド発生部(108)の一部として処理される。具体的な実装としては、ポーリングで本実施例のフローが呼ばれても良いし、もしくは割り込み駆動で呼び出されても良い。ステップ(201)でユーザーがVCRの撮影トリガボタンを押したかどうかをチェックする。トリガ操作が無ければコマンド発生部(108)の他の処理を継続する。トリガ操作があればステップ(202)へ遷移する。ステップ(202)では、VCR(101)に記録メディアが挿入されているか否かを判別する。記録メディアが挿入されていない場合には、コマンド発生部(108)の他の処理を継続する。ステップ(202)で記録メディアが挿入されていないと判別された場合には、ステップ(203)に遷移する。ステップ(203)では、AVHDD(105)の内部状態、具体的には記録中であるか否かを判別するためにステータスコマンドを発行する。ステップ(204)ではステータスコマンドのレスポンスを判別し、AVHDD(105)が記録中であった場合には、ステップ(205)に遷移し、記録停止コマンドをAVHDD(105)に送信する。一方、AVHDD(105)が記録中でない場合には、ステップ(205)に遷移し、記録開始コマンドをAVHDD(105)に送信する。この様に構成してやる事によって、AVHDD(105)に付いている記録/記録停止ボタン(107)を操作しなくてもVCR(101)本体のトリガボタン操作だけでVCR(101)本体の撮影記録に対して外部記録機器の記録/記録停止の動作を同期させる事が出来、またテープが挿入されていなくてもVCR(101)の撮影トリガボタン(106)を使用することにより外部記録機器であるAVHDD(105)の記録/記録停止の動作を制御することが可能となる。
【図面の簡単な説明】
【００１１】
【図１】本実施例の電気的構成を示すブロック図である。
【図２】本実施例の制御フローである。
【図３】従来の電気的構成を示すブロック図である。
【図１】
2007081963.tif 000003
【図２】
2007081963.tif 000004
【図３】
2007081963.tif 000005